(57)【要約】【課題】被写体となる乳幼児に適切な照明光を与え、円滑に撮影を行うことが可能な撮影用照明装置を提供する。【解決手段】撮影用照明装置（撮影用照明装置１００）に備えられた他の光源（演出用光源１２）及び／又は音声発生手段（演出用音源１３）により、被写体となる乳幼児を撮影に誘引するとともに、撮影用照明装置に備えられた光源（照明光源１１）により被写体を照明する。【選択図】図１
2006330443.tif 000002
【特許請求の範囲】
【請求項１】
写真撮影用の照明光発光手段と、
写真撮影用演出手段と、
を備えたことを特徴とする撮影用照明装置。
【請求項２】
前記写真撮影用演出手段は、演出用の光を発する演出用光源を含むことを特徴とする請求項１に記載の撮影用照明装置。
【請求項３】
前記写真撮影用演出手段は、演出用の音を発する演出用音源を含むことを特徴とする請求項１又は２に記載の撮影用照明装置。
【請求項４】
複数の前記写真撮影用演出手段を備えたことを特徴とする請求項１〜３の何れか一項に記載の撮影用照明装置。
【請求項５】
撮影時に前記写真撮影用演出手段の動作を調節する調節手段を備えたことを特徴とする請求項１〜４の何れか一項に記載の撮影用照明装置。
【請求項６】
被写体を撮影する撮影手段を備え、
前記撮影手段が、略一体に設けられていることを特徴とする請求項１〜５の何れか一項に記載の撮影用照明装置。
【請求項７】
前記調節手段は、被写体の存在を検出する被写体検出手段と、その検出信号に基づいて前記写真撮影用演出手段の動作を制御する制御手段と、を備えたことを特徴とする請求項５に記載の撮影用照明装置。
【請求項８】
被写体を撮影する撮影手段と、
前記検出信号に基づいて前記撮影手段を動作させる撮影制御手段と、を備えたことを特徴とする請求項７に記載の撮影用照明装置。
【請求項９】
前記調整手段は、外部から入力されるカメラのレリーズ信号に連動することを特徴とする請求項５に記載の撮影用照明装置。
【請求項１０】
前記照明光発光手段は、面発光手段であることを特徴とする請求項１〜９の何れか一項に記載の撮影用照明装置。
【請求項１１】
前記照明光発光手段は、散乱光を発することを特徴とする請求項１〜９の何れか一項に記載の撮影用照明装置。
【請求項１２】
前記照明光発光手段は、照明光源と、この照明光源からの光を散乱させる散乱板と、を有することを特徴とする請求項１１に記載の撮影用照明装置。
【請求項１３】
前記写真撮影用の照明光発光手段及び写真撮影用演出手段は、自立可能な支持部材で支持されていることを特徴とする請求項１〜１２の何れか一項に記載の撮影用照明装置。
【請求項１４】
前記支持部材は、前記写真撮影用の照明光発光手段及び写真撮影用演出手段を覆う光透過性のケーシング部材であることを特徴とする請求項１３に記載の撮影用照明装置。
【請求項１５】
前記ケーシング部材は、椅子状に形成されていることを特徴とする請求項１４に記載の撮影用照明装置。
【請求項１６】
前記ケーシング部材は、被写体を収容可能な凹部を有する環状体に形成されていることを特徴とする請求項１４に記載の撮影用照明装置。
【発明の詳細な説明】
【技術分野】
【０００１】
本発明は、撮影用照明装置に関し、特に、乳幼児の撮影に用いる撮影用照明装置に関する。
【背景技術】
【０００２】
従来より、写真等の撮影の際に被写体を照明するための照明装置が用いられている。撮影時には、撮影対象となる被写体の部位に光が照明されるよう、被写体に対し所定の角度を有して配光される。また従来、写真撮影時に表示手段からの光により被写体を照明する装置が提案されている（例えば、特許文献１参照）。
ところで、被写体が乳幼児の場合には一般に撮影が儘ならず、被写体が自由に動き回ったり、撮影者の思い通りにカメラに向いてくれなかったりするため、円滑に撮影を行うことが困難である。そのため、玩具等の撮影用小道具を乳幼児に与えることで、その撮影用小道具に関心を引きつけて撮影する方法が行われている。
【特許文献１】特開２００３−３３００９８号公報
【発明の開示】
【発明が解決しようとする課題】
【０００３】
しかしながら、特許文献１の装置は乳幼児の撮影を想定していないため、被写体となる乳幼児の予想外の行動に対応することができず十分な照明光を与えることができないことがあり、撮影に多くの時間を要するという問題がある。
また、玩具等の撮影用小道具を用いた場合であっても、撮影用照明装置の配光位置によっては撮影用小道具に光が遮られ被写体である乳幼児に影がかかってしまうことがある。例えば、図１５に示すように、撮影用小道具として椅子を用いたような場合、図中Ａの方向から照明光が照射されたとすると、この椅子により光が遮られ被写体に影がかかることになる。このような場合、被写体への照明にムラが発生するため影がかかる部分は他の部分に比べて発色が悪くなる。そのため、照明装置の配光位置を変更するか、乳幼児が移動するまで待機する必要があり、撮影に多くの時間を要するという問題がある。
【０００４】
本発明の課題は、被写体となる乳幼児に適切な照明光を与え、円滑に撮影を行うことが可能な撮影用照明装置を提供することである。
【課題を解決するための手段】
【０００５】
上記課題を解決するために、請求項１に記載の発明は、
写真撮影用の照明光発光手段と、
写真撮影用演出手段と、
を備えたことを特徴としている。
【０００６】
更に、請求項２に記載の発明は、請求項１に記載の発明において、
前記写真撮影用演出手段は、演出用の光を発する演出用光源を含むことを特徴としている。
【０００７】
更に、請求項３に記載の発明は、請求項１又は２に記載の発明において、
前記写真撮影用演出手段は、演出用の音を発する演出用音源を含むことを特徴としている。
【０００８】
更に、請求項４に記載の発明は、請求項１〜３の何れか一項に記載の発明において、
複数の前記写真撮影用演出手段を備えたことを特徴としている。
【０００９】
更に、請求項５に記載の発明は、請求項１〜４の何れか一項に記載の発明において、
撮影時に前記写真撮影用演出手段の動作を調節する調節手段を備えたことを特徴としている。
【００１０】
更に、請求項６に記載の発明は、請求項１〜５の何れか一項に記載の発明において、
被写体を撮影する撮影手段を備え、
前記撮影手段が、略一体に設けられていることを特徴としている。
【００１１】
更に、請求項７に記載の発明は、請求項５に記載の発明において、
前記調節手段は、被写体の存在を検出する被写体検出手段と、その検出信号に基づいて前記写真撮影用演出手段の動作を制御する制御手段と、を備えたことを特徴としている。
【００１２】
更に、請求項８に記載の発明は、請求項７に記載の発明において、
被写体を撮影する撮影手段と、
前記検出信号に基づいて前記撮影手段を動作させる撮影制御手段と、を備えたことを特徴としている。
【００１３】
更に、請求項９に記載の発明は、請求項５に記載の発明において、
前記調整手段は、外部から入力されるカメラのレリーズ信号に連動することを特徴としている。
【００１４】
更に、請求項１０に記載の発明は、請求項１〜９の何れか一項に記載の発明において、
前記照明光発光手段は、面発光手段であることを特徴としている。
【００１５】
更に、請求項１１に記載の発明は、請求項１〜９の何れか一項に記載の発明において、
前記照明光発光手段は、散乱光を発することを特徴としている。
【００１６】
更に、請求項１２に記載の発明は、請求項１１に記載の発明において、
前記照明光発光手段は、照明光源と、この照明光源からの光を散乱させる散乱板と、を有することを特徴としている。
【００１７】
更に、請求項１３に記載の発明は、請求項１〜１２の何れか一項に記載の発明において、
前記写真撮影用の照明光発光手段及び写真撮影用演出手段は、自立可能な支持部材で支持されていることを特徴としている。
【００１８】
更に、請求項１４に記載の発明は、請求項１３に記載の発明において、
前記支持部材は、前記写真撮影用の照明光発光手段及び写真撮影用演出手段を覆う光透過性のケーシング部材であることを特徴としている。
【００１９】
更に、請求項１５に記載の発明は、請求項１４に記載の発明において、
前記ケーシング部材は、椅子状に形成されていることを特徴としている。
【００２０】
更に、請求項１６に記載の発明は、請求項１４に記載の発明において、
前記ケーシング部材は、被写体を収容可能な凹部を有する環状体に形成されていることを特徴としている。
【発明の効果】
【００２１】
請求項１に記載の発明によれば、撮影用照明装置に備えられた写真撮影用演出手段により、被写体となる乳幼児を撮影に誘引することが可能であり、また、撮影用照明装置に備えられた照明光発光手段により被写体に適切な照明光を与えることができるため、円滑に撮影を行うことできる。
【００２２】
請求項２に記載の発明によれば、写真撮影用演出手段として演出用の光を発する演出用光源を用いることができる。
【００２３】
請求項３に記載の発明によれば、写真撮影用演出手段として演出用の音を発する演出用音源を用いることができる。
【００２４】
請求項４に記載の発明によれば、写真撮影用演出手段を複数備えることができる。
【００２５】
請求項５に記載の発明によれば、調節手段により撮影時に写真撮影用演出手段の動作を調節することができる。
【００２６】
請求項６に記載の発明によれば、略一体に設けられた撮影手段により、被写体となる乳幼児を撮影することができる。
【００２７】
請求項７に記載の発明によれば、被写体検出手段から出力される検出信号に基づいて写真撮影用演出手段の動作を制御することが可能であるため、より効果的に被写体となる乳幼児を撮影に誘引することができる。
【００２８】
請求項８に記載の発明によれば、被写体検出手段から出力される検出信号に基づいて撮影手段の動作を制御することが可能であるため、被写体が検出された際に撮影を行うことができる。
【００２９】
請求項９に記載の発明によれば、外部から入力されるカメラのレリーズ信号と連動して、写真撮影用演出手段の動作を調節することができる。
【００３０】
請求項１０に記載の発明によれば、面発光手段から照明光が照射されるため、被写体となる乳幼児に対し均一な照明光を与えることが可能であり、照明ムラの発生を低減することができる。
【００３１】
請求項１１に記載の発明によれば、照明光として散乱光を照射することが可能であるため、被写体となる乳幼児に対し均一な照明光を与えることが可能であり、照明ムラの発生を低減することができる。
【００３２】
請求項１２に記載の発明によれば、照明光発光手段は、照明光源からの光を散乱板で散乱することが可能であるため、被写体となる乳幼児に対し散乱光による照明光を与えることができる。
【００３３】
請求項１３に記載の発明によれば、支持部材により写真撮影用の照明光発光手段及び写真撮影用演出手段は、自立させることができる。
【００３４】
請求項１４に記載の発明によれば、支持部材は、光透過性のケーシング部材であるため、写真撮影用の照明光発光手段及び写真撮影用演出手段からの光を被写体に与えることができる。
【００３５】
請求項１５に記載の発明によれば、ケーシング部材を椅子状に形成することができる。
【００３６】
請求項１６に記載の発明によれば、前記ケーシング部材を被写体を収容可能な凹部を有する環状体に形成することできる。
【発明を実施するための最良の形態】
【００３７】
以下、本発明を実施するための最良の形態について図面を用いて説明する。ただし、本発明の範囲は、図示例に限定されないものとする。
【００３８】
＜第１の実施形態＞
図１に本第1の実施形態における撮影用照明装置１００の概略図を示す。
図１に示すように、撮影用照明装置１００は、台座部４１と、この台座部４１に装着された円柱状のケーシング１０とからなる自立型の照明装置である。
【００３９】
ケーシング１０は、光を散乱させるための散乱板であって、光透過性の樹脂やガラス等の基材で形成されており、例えば、光透過性の白色アクリル樹脂等により形成される。また、ケーシング１０内は中空状になっており、同図に示すように照明光源１１、演出用光源１２、演出用音源１３、検出部１４、撮像部１５、これらの各部がケーシング１０の支持部材（不図示）により支持されている。なお、各部の結線の図示は適宜省略するが、後述する制御系２０に接続されているものとする。
【００４０】
照明光源１１は、蛍光灯やタングステンランプ等の定常光を照射することが可能な光源であって、発熱量の少ない光源であることが好ましく、白色光を照射できる光源であることがより好ましい。なお、本実施の形態で定常光とは、高速で点滅することで定常的に光が照射される場合も含めた概念である。照明光源１１から照射される光は、ケーシング１０を透過する際に散乱されることにより、ケーシング１０の面自体が発光する面光源として照明光を照射することができる。そのため、被写体となる乳幼児に対して均一な照明光を与えることが可能となり、照明ムラの発生を低減することができる。なお、照明光源１１として、有機ＥＬ（Electronic Luminescent）等の面光源を用いることとしてもよい。
【００４１】
演出用光源１２は、演出効果用の光を発するＬＥＤ（Light Emitting Diode）やネオン管等の複数の発光色を有した光源であって、後述する制御部２１（図２参照）からの制御により点灯や消灯等の制御が行われる。この演出用光源１２を撮影中に発光させることにより、被写体となる乳幼児の関心を引きつけるようになっている。また、演出用光源１２から発せられる光が被写体とともに撮影されることで、写真を彩る装飾的な演出効果を発揮するようになっている。なお、演出用光源１２として、ＣＲＴ（Cathode Ray Tube）や有機ＥＬ、ケーシング１０上に投影表示するプロジェクタ装置等の映像表示装置を用いてもよく、この場合、被写体となる乳幼児が関心を引くような映像（キャラクター等）を表示することが好ましい。
【００４２】
演出用音源１３は、音声を発するブザーやスピーカ等の音声出力装置であって、制御部２１からの制御により音量や音質等の制御が行われる。この演出用音源１３を撮影中に出力させることにより、被写体となる乳幼児の関心を引きつけるようになっている。
【００４３】
検出部１４は、赤外線検出センサーや超音波センサー、音声検出センサー等の検出器であって、検出部１４（撮影用照明装置１００）に接近する被写体の存在を検出し、この検出信号を制御部２１に出力する。
【００４４】
撮像部１５は、レンズ等の撮像光学系、ＣＣＤ（Charge Coupled Device）やＣＭＯＳ（Complementary Metal-Oxide Semiconductor）等の撮像素子等を備えた撮像装置であって、制御部２１からの制御信号により被写体の撮影を行い、この撮影で取得される画像データを制御部２１に出力する。なお、この撮像部１５を検出部１４として用いることとしてもよく、この場合、例えば、公知技術により撮像部１５により取得される画像データから動き成分を検出することで被写体の接近を検出することが可能である。
【００４５】
検出部１４と撮像部１５との配置位置は、検出部１４の検出方向と撮像部１５の撮影方向（光軸方向）とが一致するよう配置されることが好ましく、検出部１４と撮像部１５とが近接して配置されることがより好ましい。
【００４６】
次に、図２を参照して撮影用照明装置１００の制御系２０について説明する。
図２に示すように、制御系２０は、制御部２１、記憶部２２、画像処理部２３、Ｉ／Ｆ部２４、Ｉ／Ｏ部２５等を有して構成されている。
【００４７】
制御部２１は、撮影用照明装置１００を構成する各部への指示や各機能部間のデータの入出力を行い、ＣＰＵ（Central Processing Unit）やＲＯＭ（Read Only Memory）、ＲＡＭ（Random Access Memory）等により構成される。より具体的には、制御部２１は、ＲＯＭ及び／又は記憶部２２に記憶されているシステムプログラムを読み出し、ＲＡＭ内に形成されたワークメモリに展開し、該システムプログラムに従って各部を制御する。
【００４８】
また、制御部２１は、ＲＯＭ及び／又は記憶部２２に記憶されている演出用光源１２の発光パターンや、演出用音源１３の音色、楽曲パターン等に基づいて演出用光源１２及び／又は演出用音源１３の動作を調整する。具体的には、制御部２１は、検出部１４から入力される検知信号に基づいて、演出用光源１２及び／又は演出用音源１３の動作を調整する。具体的には、検出部１４から入力される検知信号に基づいて、撮影用照明装置１００（検出部１４）から被写体までの距離を導出し、この距離に応じて演出用光源１２の発光パターンを変更したり、演出用音源１３から出力される音量を変更したりする。
【００４９】
また、制御部２１は、検出部１４から入力される検知信号に基づいて撮像部１５を制御することで撮影を行い、この撮影により得られた画像データを記憶部２２に記憶させる。具体的には、検出部１４から入力される検知信号に基づいて、撮影用照明装置１００（検出部１４）から被写体までの距離を導出し、この距離が所定の値以下となった場合に撮像部１５による撮影を行う。
【００５０】
また、制御部２１は、Ｉ／Ｆ部２４を介して外部の撮影装置Ｃから入力される撮影開始を指示するレリーズ信号を受信すると、このレリーズ信号に連動して演出用光源１２の点灯・消灯を制御する。なお、本実施形態では、レリーズ信号に連動して演出用音源１３の動作を制御しないこととしたが、これに限らず、音声出力のＯＮ又はＯＦＦ等をレリーズ信号に連動して制御することとしてもよい。
【００５１】
記憶部２２は、プログラムやデータ等が予め記録されている記録媒体（図示せず）を有しており、この記録媒体は磁気的、光学的記録媒体、若しくは半導体メモリで構成されている。この記録媒体は、記憶部２２に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、制御部２１は、当該プログラムコードに従った動作を逐次実行する。
【００５２】
画像処理部２３は、制御部２１の指示に従って、撮像部１５又は撮影装置Ｃで取得された画像データに所定の画像処置を施す。画像処理としては、例えば階調変換処理、鮮鋭性調整処理、色変換処理等が挙げられる。
【００５３】
Ｉ／Ｆ部２４は、例えば、ＵＳＢ（Universal Serial Bus），ＩＥＥＥ１３９４，ＲＳ−２３２Ｃ等のインターフェースにより構成され、このＩ／Ｆ部２４を介して外部機器との接続が可能となっている。具体的には、撮影装置Ｃによる撮影を開始させるためのレリーズボタンＣ１から入力されるレリーズ信号をＩ／Ｆ部２４を介して受信し、このレリーズ信号を制御部２１に出力する。また、撮影装置Ｃによる撮影により取得された画像データをＩ／Ｆ部２４を介して受信し、この画像データを制御部２１に出力する。
【００５４】
Ｉ／Ｏ部２５は、不図示の表示装置等を接続可能なインターフェースにより構成され、このＩ／Ｏ部２５を介して記憶部２２に記憶された画像データの表示出力が可能となっている。
【００５５】
次に、図３〜図５を参照して、本第１の実施形態における撮影用照明装置１００の動作を説明する。
【００５６】
図３は、本第１の実施形態における撮影用照明装置１００を用いた撮影の一例を示す図である。本実施の形態では、乳幼児を被写体Ｂとして撮影することを前提とし、また外部の撮影装置Ｃとしてデジタルカメラを用いた撮影が行われるものとする。
【００５７】
同図に示すように、被写体Ｂの近傍に４台の撮影用照明装置１００を配置している。なお、配置される撮影用照明装置１００の数はこれに限定されないものとする。
各撮影用照明装置１００は、コントロールボックス３０内に備えられる制御系２０と接続されており、この制御系２０の制御下におかれている。また、制御系２０には撮影装置Ｃ及びレリーズボタンＣ１が接続されている。この状態で、各撮影用照明装置１００の照明光源１１が点灯され、被写体Ｂに対して照明光が照射される。
【００５８】
図４は、撮影用照明装置１００に具備された撮像部１５により被写体が撮影される場合の撮影制御処理の流れを示すフローチャートである。なお、本撮影制御処理は、制御部２１と不図示のＲＯＭ及び／又は記憶部２２に記憶された制御プログラムとの協働によるソフトウェア処理により実行される処理を示している。
【００５９】
まず、撮影用照明装置１００の演出用光源１２が点灯及び演出用音源１３から音声が出力されて、被写体Ｂの誘引が行われる（ステップＳ１１）。この状態で被写体Ｂが特定の撮影用照明装置１００に誘引されると、この撮影用照明装置１００の検出部１４から被写体Ｂの検出信号が入力され（ステップＳ１２）、この検出信号に基づいて撮影用照明装置１００（検出部１４）と被写体Ｂとの距離が判定される（ステップＳ１３）。
【００６０】
ここで、被写体Ｂまでの距離が所定の値以下であると判定された場合には（ステップＳ１３；Ｙｅｓ）、演出用光源１２が消灯され（ステップＳ１４）、この演出用光源１２が消灯されている間に撮像部１５による撮影が行われる（ステップＳ１５）。なお、本処理では被写体Ｂが検出された撮影用照明装置１００の演出用光源１２を消灯することとしたが、これに限らず、他の撮影用照明装置１００の演出用光源１２を同時に消灯させることとしてもよい。また、被写体Ｂが検出された撮影用照明装置１００の撮像部１５で撮影を行うこととしたが、これに限らず、他の撮影用照明装置１００の撮像部１５から被写体Ｂを撮影するようにしてもよい。この場合、制御部２１は、被写体Ｂの検出位置方向に対応する他の撮影用照明装置１００の撮像部１５から撮影が行われるよう制御するものとする。
【００６１】
次いで、ステップＳ２５の撮影で取得された画像データが記憶部２２に記憶された後（ステップＳ１６）、演出用光源１２が再び点灯されて（ステップＳ１７）、本処理は終了する。
【００６２】
このように、被写体を撮影する際に演出用光源１２を消灯させることにより、演出用光源１２から照射される光が被写体に及ぼす影響を抑制することが可能であるため、良好な照明下における被写体の画像データを取得することができる。
【００６３】
次に、図５のフローチャートを参照して、撮影用照明装置１００に接続された撮影装置Ｃにより被写体Ｂが撮影される場合の撮影制御処理を説明する。なお、本撮影制御処理は、制御部２１と不図示のＲＯＭ及び／又は記憶部２２に記憶された制御プログラムとの協働によるソフトウェア処理により実行される処理を示している。
【００６４】
まず、撮影用照明装置１００の演出用光源１２が点灯及び演出用音源１３から音声が出力されて、被写体Ｂの誘引が行われる（ステップＳ２１）。この状態で撮影者により被写体Ｂの撮影のためのレリーズボタンＣ１が押下されて、レリーズ信号が受信されると（ステップＳ２２；Ｙｅｓ）、撮影装置Ｃによる撮影の間だけ演出用光源１２が消灯される（ステップＳ２３）。そして、この撮影で取得された画像データが記憶部２２に記憶された後（ステップＳ２４）、演出用光源１２が再び点灯され（ステップＳ２５）、本処理は終了する。
【００６５】
このように、被写体を撮影する際に演出用光源１２を消灯させることにより、演出用光源１２から照射される光が被写体に及ぼす影響を抑制することが可能であるため、良好な照明下における被写体の画像データを取得することができる。
【００６６】
以上のように、本第１の実施形態によれば、撮影用照明装置１００に備えられた写真撮影用演出手段（演出用光源１２、演出用音源１３）により、被写体となる乳幼児を撮影に誘引することが可能であり、また、撮影用照明装置１００に備えられた照明光源１１により被写体に適切な照明光を与えることができるため、円滑に撮影を行うことできる。
【００６７】
なお、記憶部２２に記憶された画像データは、Ｉ／Ｏ部２５に接続される不図示の表示装置に表示させることとしてもよいし、Ｉ／Ｆ部２４を介して撮影装置Ｃに送信することで撮影装置Ｃに備えられた不図示の表示部に表示させることとしてもよい。
【００６８】
また、撮影装置Ｃ及び撮像部１５による撮影は、コントロールボックス３０に備えられる不図示の切換ボタン等により選択的に切換可能としてもよい。また、複数の撮影用照明装置１００のうち、特定の撮影用照明装置１００の撮像部１５だけを撮影可能とすることとしてもよい。
【００６９】
＜第２の実施形態＞
次に、撮影用照明装置１００の第２の実施形態について説明する。本第２の実施形態では、演出用光源１２の演出光を被写体とともに撮影する場合の撮影制御について説明する。なお、説明の簡略化のため、上述した第１の実施形態と同一要素については同符号を付し、その詳細な説明は適宜省略する。
【００７０】
まず、図２を参照して本第２の実施形態の制御系２０について説明する。
制御部２１は、検出部１４から入力される検知信号に基づいて撮像部１５を制御することで所定の撮影間隔で二度撮影を行い、この撮影により得られる二つの画像データを記憶部２２に記憶させる。
【００７１】
画像処理部２３は、制御部２１の指示に従って、記憶部２２に記憶された二つの画像データを合成し、一の画像データを生成する。
【００７２】
図６は、撮影用照明装置１００に具備された撮像部１５により被写体Ｂが撮影される場合の撮影制御処理の流れを示すフローチャートである。なお、本撮影制御処理は、制御部２１と不図示のＲＯＭ及び／又は記憶部２２に記憶された制御プログラムとの協働によるソフトウェア処理により実行される処理を示している。
【００７３】
まず、撮影用照明装置１００の演出用光源１２が点灯及び演出用音源１３から音声が出力されて、被写体Ｂの誘引が行われる（ステップＳ３１）。この状態で被写体Ｂが特定の撮影用照明装置１００に誘引されると、この撮影用照明装置１００の検出部１４から被写体の検出信号が入力され（ステップＳ３２）、この検出信号に基づいて撮影用照明装置１００（検出部１４）と被写体Ｂとの距離が判定される（ステップＳ３３）。
【００７４】
ここで、被写体までの距離が所定の値以下であると判定された場合には（ステップＳ３３；Ｙｅｓ）、演出用光源１２が消灯され（ステップＳ３４）、この演出用光源１２が消灯されている間に撮像部１５による最初の撮影が行われ（ステップＳ３５）、取得された画像データが記憶部２２に記憶される（ステップＳ３６）。以下、本処理においてステップＳ３６で記憶された画像データを第１の画像データという。
【００７５】
なお、本処理では被写体Ｂが検出された撮影用照明装置１００の演出用光源１２を消灯することとしたが、これに限らず、他の撮影用照明装置１００の演出用光源１２を同時に消灯させることとしてもよい。また、被写体Ｂが検出された撮影用照明装置１００の撮像部１５で撮影を行うこととしたが、これに限らず、他の撮影用照明装置１００の撮像部１５から被写体Ｂを撮影するようにしてもよい。この場合、制御部２１は、被写体Ｂの検出位置方向に対応する他の撮影用照明装置１００の撮像部１５から撮影が行われるよう制御するものとする。
【００７６】
次いで、演出用光源１２が再び点灯された後（ステップＳ３７）、撮像部１５による次の撮影が行われ（ステップＳ３８）、取得された画像データが記憶部２２に記憶される（ステップＳ３９）。以下、本処理においてステップＳ３９で記憶された画像データを第２の画像データという。なお、ステップＳ３８における二度目の撮影の際には、被写体Ｂが検出された撮影用照明装置１００以外の、他の撮影用照明装置１００の演出用光源１２だけを点灯させるようにしてもよい。
【００７７】
続いて、画像処理部２３が制御され、記憶部２２に記憶された両画像データに基づき、第２の画像データから演出用光源１２の光成分が抽出される（ステップＳ４０）。ここで、光成分の抽出に関しては公知の技術を用いることが可能であり、例えば、照明光源１１と演出用光源１２との間の色成分やスペクトル等の差異に基づいて演出用光源１２の光成分を抽出することができる。
【００７８】
次いで、ステップＳ４０で抽出された演出用光源１２の光成分が、第１の画像データに合成され（ステップＳ４１）、この合成された画像データが記憶部２２に記憶されることで（ステップＳ４２）、本処理は終了する。なお、合成された画像データのカラーマネジメントは、第１の画像データに基づいて行われるものとする。
【００７９】
このように、被写体を最初に撮影する際に演出用光源１２を消灯させ、次に撮影する際に演出用光源１２を点灯させて撮影し、第２の画像データから演出用光源１２の光成分を抽出して、第１の画像データに合成することで一の画像データを生成するため、演出用光源１２から照射される光が被写体に及ぼす影響を抑制した良好な照明状態下における被写体の画像データに、演出用光源１２の演出光を合成した画像データを取得することができる。
【００８０】
次に、図７のフローチャートを参照して、撮影用照明装置１００に接続された撮影装置Ｃにより被写体Ｂが撮影される場合の撮影制御処理を説明する。本処理の前提として、レリーズボタンの一回押下により、所定の撮影間隔で二度の撮影が撮影装置Ｃにより行われるものとする。なお、本撮影制御処理は、制御部２１と不図示のＲＯＭ及び／又は記憶部２２に記憶された制御プログラムとの協働によるソフトウェア処理により実行される処理を示している。
【００８１】
まず、撮影用照明装置１００の演出用光源１２が点灯及び演出用音源１３から音声が出力されて、被写体Ｂの誘引が行われる（ステップＳ５１）。この状態で撮影者により被写体Ｂの撮影のためのレリーズボタンＣ１が押下され、レリーズ信号が受信されると（ステップＳ５２；Ｙｅｓ）、撮影装置Ｃによる最初の撮影の間だけ演出用光源１２が消灯され（ステップＳ５３）、この撮影で取得された画像データが記憶部２２に記憶される（ステップＳ５４）。以下、本処理においてステップＳ５４で記憶された画像データを第１の画像データという。
【００８２】
次いで、演出用光源１２が再び点灯された後（ステップＳ５５）、撮影装置Ｃにより次の撮影が行われ、この撮影で取得された画像データが記憶部２２に記憶される（ステップＳ５６）。以下、本処理においてステップＳ５６で記憶された画像データを第２の画像データという。なお、被写体Ｂに対する撮影装置Ｃの位置は、撮影装置Ｃによる二度の撮影の間静止していることが好ましい。
【００８３】
続いて、画像処理部２３が制御されることで、記憶部２２に記憶された両画像データに基づいて、第２の画像データから演出用光源１２の光成分が抽出される（ステップＳ５７）。そして、ステップＳ５７で抽出された演出用光源１２の光成分が、第１の画像データに合成され（ステップＳ５８）、この合成された画像データが記憶部２２に記憶されることで（ステップＳ５９）、本処理は終了する。なお、合成された画像データのカラーマネジメントは、第１の画像データに基づいて行われるものとする。
【００８４】
このように、被写体を最初に撮影する際に演出用光源１２を消灯させ、次に撮影する際に演出用光源１２を点灯させて撮影し、第２の画像データから演出用光源１２の光成分を抽出して、第１の画像データに合成することで一の画像データを生成するため、演出用光源１２から照射される光が被写体に及ぼす影響を抑制した良好な照明状態下における被写体の画像データに、演出用光源１２の演出光を合成した画像データを取得することができる。
【００８５】
以上のように、本第２の実施形態によれば、撮影用照明装置１００に備えられた写真撮影用演出手段（演出用光源１２、演出用音源１３）により、被写体となる乳幼児を撮影に誘引することが可能であり、また、撮影用照明装置１００に備えられた照明光源１１により被写体に適切な照明光を与えることができるため、円滑に撮影を行うことできる。
【００８６】
なお、記憶部２２に記憶された画像データは、Ｉ／Ｏ部２５に接続される不図示の表示装置に表示させることとしてもよいし、Ｉ／Ｆ部２４を介して撮影装置Ｃに送信することで撮影装置Ｃに備えられた不図示の表示部に表示させることとしてもよい。この場合、表示される画像データは合成後の画像データに限らず、第１の画像データ及び／又は第２の画像データを表示することとしてもよい。
【００８７】
また、撮影装置Ｃ及び撮像部１５による撮影は、コントロールボックス３０に備えられる不図示の切換ボタン等により選択的に切換可能としてもよい。また、複数の撮影用照明装置１００のうち、特定の撮影用照明装置１００の撮像部１５だけを撮影可能とすることとしてもよい。
【００８８】
また、本第２の実施形態では、演出用光源１２を一度目の撮影の際に消灯、二度目の撮影の際に点灯させることとしたが、これに限らず、一度目の撮影の際に点灯、二度目の撮影の際に消灯させることとしてよい。この場合、第１の画像データから演出用光源１２の光成分が抽出されることは言うまでもない。
【００８９】
＜第３の実施形態＞
次に、撮影用照明装置１００の第３の実施形態について説明する。本第３の実施形態では、撮影用照明装置１００の他の態様について説明する。なお、説明の簡略化のため、上述した第１の実施形態と同一な構成については同一の符号を付して説明を省略し、第３の実施形態に特徴的な部分のみを説明する。
【００９０】
図８は、本第３の実施形態における撮影用照明装置１００を用いた撮影の一例を示す図である。図８に示すように、複数の撮影用照明装置１００（１００ａ〜１００ｅ）と、撮影装置Ｃとが、被写体Ｂの近傍に配置されている。なお、配置される撮影用照明装置１００の数はこれに限定されないものとする。
【００９１】
ここで、撮影用照明装置１００ａ〜１００ｃ及び１００ｅは、上述した撮影用照明装置１００と同一の構成を有するものとする。また、撮影用照明装置１００ｄは、その形状は異なるが、上述した撮影用照明装置１００と同一の構成を有しており、撮影装置Ｃと略一体に設けられている。なお、本第３の実施形態では、撮影用照明装置１００ａ〜１００ｅのうち、一の撮影用照明装置１００ｄにのみ撮影装置Ｃを設けることとしたが、これに限らず、複数の撮影用照明装置１００に撮影装置Ｃを設けることとしてもよい。
【００９２】
撮影装置Ｃは撮影用照明装置１００ｄと着脱可能に構成されている。また、撮影装置Ｃは、コントロールボックス３０に内蔵された制御部２１からの制御信号により被写体の撮影を行うようになっており、この撮影で取得される画像データを制御部２１に出力する。
【００９３】
制御部２１は、各撮影用照明装置１００（１００ａ〜１００ｅ）に備えられた演出用光源１２を、所定間隔毎に順次点灯させる。なお、順次点灯制御される撮影用照明装置１００の順序は、特に限定されないものとし、任意に設定可能であるものとする。また、点灯間隔は、特に限定されないものとし、任意に設定可能であるものとする。
【００９４】
また、制御部２１は、この順次点灯制御下において、撮影用照明装置１００ｄの演出用光源１２を点灯させた際に、撮影装置Ｃに制御信号を送信することで撮影を行う。このように、複数の撮影用照明装置１００に備えられた演出用光源１２を順次点灯させることで、この演出用光源１２に被写体となる乳幼児の視線を誘導することが可能となり、撮影装置Ｃが略一体に設けられた撮影用照明装置１００ｄを点灯させたタイイングで被写体の撮影を行うため、乳幼児が撮影装置Ｃ（カメラ）に視線を向けた状態を撮影することができる。なお、撮影装置Ｃにより撮影を行うこととしたが、撮影用照明装置１００に撮像部１５が備えられている場合には、この撮像部１５により撮影を行うこととしてもよい。また、本第３の実施形態により撮影が行われる場合、撮影用照明装置１００の検出部１４は必須の構成要素とならないため、検出部１４を備えない態様としてもよい。
【００９５】
以上のように、本第３の実施形態によれば、演出用光源１２により、被写体となる乳幼児を撮影に誘引することが可能であるとともに、この演出用光源１２（撮影用照明装置１００）と略一体に設けられた撮影装置Ｃにより撮影が可能であるため、円滑に撮影を行うことできる。
【００９６】
なお、本第３の実施形態では、演出用光源１２を点灯させることとしたが、これに限らず、各撮影用照明装置１００に備えられた演出用音源１３を、所定間隔毎に順次音声出力させることとしてもよい。
【００９７】
また、各撮影用照明装置１００に備えられた検出部１４から出力される検出信号に基づいて、撮影装置Ｃによる撮影が行われるものとしてもよく、この場合、撮影用照明装置１００ｄの検出部１４から出力される検出信号に基づいて撮影が行われるものとする。また、撮影用照明装置１００ｄの演出用光源１２が点灯中の時のみ、当該撮影用照明装置１００ｄの検出部１４から出力される検出信号に基づいて、撮影が行われることがより好ましい。
＜第４の実施形態＞
次に、撮影用照明装置１００の第４の実施形態について説明する。本第４の実施形態では、撮影用照明装置１００の他の態様について説明する。なお、説明の簡略化のため、上述した第１の実施形態と同一な構成については同一の符号を付して説明を省略し、第３の実施形態に特徴的な部分のみを説明する。
【００９８】
図９に本第４の実施形態における撮影用照明装置１００の概略図を示す。
図９に示すように、撮影用照明装置１００は、台座部４１とこの台座部４１に立設された略鼓形の支柱部４２とからなる本体４０と、支柱部４２の上部に装着された円板形のケーシング１０と、からなるテーブル型の照明装置である。なお、本実施形態では、本体４０とケーシング１０とは異なる基材で形成されているものとするが、これに限らず、本体４０をケーシング１０と同基材で形成されていてもよく、この場合、本体４０とケーシング１０とが一体的に形成されていてもよい。
【００９９】
本体４０は、例えばスチール素材からなり、被写体となる乳幼児が掴まり立ちできる程度の高さ（例えば、４０ｃｍ〜７０ｃｍ）で形成されている。なお、本体４０の外表面を軟らかい素材で覆うことが好ましく、これにより、本撮影用照明装置１００に接触する被写体が怪我をしたりする等の事故を防ぐことができる。
【０１００】
同図に示すように、ケーシング１０内は中空状になっており、照明光源１１、演出用光源１２、検出部１４、撮像部１５、これらの各部がケーシング１０の支持部材（不図示）により支持されている。なお、各部の結線の図示は適宜省略するが、後述する制御系２０に接続されているものとする。
【０１０１】
照明光源１１から照射される光は、ケーシング１０を透過し、このケーシング１０の上面方向に照明されるようになっている。これにより、被写体Ｂが掴まり立ちした場合に、被写体顔部に均一な照明光を与えることが可能であり、照明ムラの発生を低減することができる。なお、ケーシング１０の外周面をゴム等の滑りにくい素材で覆うことが好ましく、これにより、乳幼児が掴まり立ちする際に撮影用照明装置１００を掴み易くすることができる。
【０１０２】
本第４の実施形態の撮影用照明装置１００は、不図示の制御系２０を備えており、この制御系２０に含まれる制御部２１の制御により、検出部１４から出力される検出信号に基づいて演出用光源１２の制御が行われるものとする。
【０１０３】
以上のように、本第４の実施形態の撮影用照明装置１００によれば、撮影用照明装置１００に備えられた写真撮影用演出手段（演出用光源１２）により、被写体となる乳幼児を撮影に誘引することが可能であり、また、撮影用照明装置１００に備えられた照明光源１１により被写体に適切な照明光を与えることができるため、円滑に撮影を行うことできる。
【０１０４】
なお、本第４の実施形態では演出用音源１３を備えない構成としたが、これに限らず、演出用音源１３を備えることとしてもよく、この場合、本体４０上部内に備える態様としてもよいし、本体４０の外表面に備える構成としてもよい。また、演出用光源１２を外表面に備えた構成としてもよい。
【０１０５】
また、本実施形態では、撮像部１５を備えない構成としたが、これに限らず、撮像部１５をケーシング１０内に備えた構成としてもよい。この場合、制御部２１により、第1の実施形態、第２の実施形態で説明した撮影制御処理が行われるものとする。
【０１０６】
＜第５の実施形態＞
次に、撮影用照明装置１００の第４の実施形態について説明する。本第５の実施形態では、撮影用照明装置１００の他の態様について説明する。なお、説明の簡略化のため、上述した第１の実施形態と同一な構成については同一の符号を付して説明を省略し、第５の実施形態に特徴的な部分のみを説明する。
【０１０７】
図１０に本第５の実施形態における撮影用照明装置１００の概略図を示す。
図１０に示すように、撮影用照明装置１００は、背凭れ部１０ａ、座部１０ｂ、肘掛部１０ｃ、脚部１０ｄからなるケーシング１０により形成された椅子状の照明装置であって、座部１０ｂには被写体となる乳幼児を着席させることが可能となっている。
【０１０８】
ケーシング１０の各部は、一体形成されていてもよいし、各部が接合されることで形成されていてもよい。また、ケーシング１０の特定の部位（例えば、座部１０ｂ、脚部１０ｄ等）を他の部位とは異なる基材で形成することとしてもよく、この場合、各部の用途に応じた強度等の特性を備えた基材を用いることが好ましい。
【０１０９】
同図に示すように、ケーシング１０内は中空状になっており、照明光源１１、演出用光源１２、検出部１４、これらの各部がケーシング１０の支持部材（不図示）により支持されている。なお、各部の結線の図示は適宜省略するが、後述する制御系２０に接続されているものとする。
【０１１０】
照明光源１１から照射される光は、ケーシング１０を透過し、このケーシング１０の周辺に照明されるようになっている。これにより、被写体Ｂが撮影用照明装置１００に着席した場合や、撮影用照明装置１００の近傍に位置する場合であっても、被写体Ｂに対して均一な照明光を与えることが可能であり、照明ムラの発生を低減することができる。なお、照明光源１１として光ファイバを用いた態様としてもよく、この場合、照明光源１１から照射される光がケーシング１０内に内蔵された光ファイバによりケーシング１０の外部に導光される構成とする。
【０１１１】
本第５の実施形態の撮影用照明装置１００は、不図示の制御系２０を備えており、この制御系２０に含まれる制御部２１の制御により、検出部１４から出力される検出信号に基づいて演出用光源１２の制御が行われるものとする。
【０１１２】
以上のように、本第５の実施形態の撮影用照明装置１００によれば、撮影用照明装置１００に備えられた写真撮影用演出手段（演出用光源１２）により、被写体となる乳幼児を撮影に誘引することが可能であり、また、撮影用照明装置１００に備えられた照明光源１１により被写体に適切な照明光を与えることができるため、円滑に撮影を行うことできる。
【０１１３】
なお、本実施形態では、演出用音源１３を備えない構成としたが、これに限らず、演出用音源１３をケーシング１０内に備えた構成としてもよい。また、本実施形態では、撮像部１５を備えない構成としたが、これに限らず、撮像部１５をケーシング１０内に備えた構成としてもよく、この場合、制御部２１により、第1の実施形態、第２の実施形態で説明した撮影制御処理が行われるものとする。
【０１１４】
＜第６の実施形態＞
次に、撮影用照明装置１００の第６の実施形態について説明する。本第６の実施形態では、撮影用照明装置１００の他の態様について説明する。なお、説明の簡略化のため、上述した第１の実施形態と同一な構成については同一の符号を付して説明を省略し、第６の実施形態に特徴的な部分のみを説明する。
【０１１５】
図１１に本第６の実施形態における撮影用照明装置１００の概略図を示す。
図１１に示すように、撮影用照明装置１００は、中央に凹部を有する環状体の照明装置であって、ケーシング１０により形成されている。このケーシング１０は、例えば光透過性の硬質プラスチック素材等の被写体となる乳幼児が乗載しても破損しない強度を有する基材で形成されている。この凹部内には、被写体Ｂを収容することが可能となっており、撮影の際には、この凹部内におもちゃやぬいぐるみ等の乳幼児の関心を引く小道具を予め配置しておくことにより、被写体Ｂの関心をより引きつけることができ、撮影に対する緊張を和らげることができる。
【０１１６】
ケーシング１０内には、照明光源１１、演出用光源１２及び検出部１４が備えられており、これらの各部がケーシング１０の支持部材（不図示）により支持されている。なお、各部の結線の図示は適宜省略するが、後述する制御系２０に接続されているものとする。
【０１１７】
照明光源１１から照射される光は、ケーシング１０の外壁部１０ｅを透過し、のケーシング１０の周辺に照明されるようになっている。これにより、被写体である乳幼児が撮影用照明装置１００の近傍に位置する場合であっても、被写体Ｂに対して均一な照明光を与えることが可能であり、照明ムラの発生を低減することができる。また、演出用光源１２から発せられる演出光は、ケーシング１０を透過し、撮影用照明装置１００の外部に照射されるようになっているとともに、検出部１４により撮影用照明装置１００に接近する被写体Ｂを検出することが可能となっている。
【０１１８】
また、照明光源１１から照射される光は、ケーシング１０の内壁部１０ｆを透過し、凹部内が照明されるようになっており、凹部内に収容された被写体Ｂに対し、均一な照明光を与えることが可能となっている。
【０１１９】
また、本第６の実施形態の撮影用照明装置１００は、不図示の制御系２０を備えており、この制御系２０に含まれる制御部２１の制御により、検出部１４から出力される検出信号に基づいて演出用光源１２の制御が行われるものとする。
【０１２０】
以上のように、本第６の実施形態の撮影用照明装置１００によれば、撮影用照明装置１００に備えられた写真撮影用演出手段（演出用光源１２）により、被写体となる乳幼児を撮影に誘引することが可能であり、また、撮影用照明装置１００に備えられた照明光源１１により被写体に適切な照明光を与えることができるため、円滑に撮影を行うことできる。
【０１２１】
なお、本第６の実施形態では、演出用音源１３を備えない構成としたが、これに限らず、演出用音源１３を備えた構成としてもよい。また、本実施形態では、撮像部１５を備えない構成としたが、これに限らず、撮像部１５を備えた構成としてもよく、この場合、制御部２１により、第1の実施形態、第２の実施形態で説明した撮影制御処理が行われるものとする。
【０１２２】
また、本実施形態では、本体４０をドーナツ型としたが、これに限らず、馬蹄型等の環状体としてもよい。
【０１２３】
＜第７の実施形態＞
次に、撮影用照明装置１００の第７の実施形態について説明する。本第７の実施形態では、撮影用照明装置１００の他の態様について説明する。なお、説明の簡略化のため、上述した第１の実施形態と同一な構成については同一の符号を付して説明を省略し、第７の実施形態に特徴的な部分のみを説明する。
【０１２４】
図１２に本第７の実施形態における撮影用照明装置１００の概略図を示す。
図１２に示すように、撮影用照明装置１００は、台座部４１とこの台座部４１に立設された支柱部４２とからなる本体４０と、支柱部４２の上部に設けられた球形のケーシング１０と、からなる照明装置である。
【０１２５】
本体４０は、例えばスチール素材からなり、被写体となる乳幼児の身長程度の高さ（例えば、６０ｃｍ〜９０ｃｍ）で形成されている。なお、本体４０の外表面を軟らかい素材で覆うことが好ましく、これにより、本撮影用照明装置１００に接触する被写体が怪我をしたりする等の事故を防ぐことができる。
【０１２６】
同図に示すように、ケーシング１０内は中空状になっており、照明光源１１、演出用光源１２、演出用音源１３、検出部１４、撮像部１５、これらの各部がケーシング１０の支持部材（不図示）により支持されている。なお、各部の結線の図示は適宜省略するが、後述する制御系２０に接続されているものとする。
【０１２７】
照明光源１１から照射される光は、ケーシング１０を透過し、このケーシング１０の周辺に照明されるようになっている。これにより、被写体である乳幼児が撮影用照明装置１００の近傍に位置する場合であっても、被写体Ｂに対して均一な照明光を与えることが可能であり、照明ムラの発生を低減することができる。また、図１３に示すようにケーシング１０を複数個備えた態様としてもよく、その数は図示例に限定されないものとする。
【０１２８】
撮影用照明装置１００は、コントロールボックス３０（図１３参照）内に不図示の制御系２０を備えており、この制御系２０に含まれる制御部２１の制御により、検出部１４から出力される検出信号に基づいて演出用光源１２の制御が行われる。また、制御部２１により、第1の実施形態、第２の実施形態で説明した撮影制御処理が行われるものとする。
【０１２９】
以上のように、本第７の実施形態の撮影用照明装置１００によれば、撮影用照明装置１００に備えられた写真撮影用演出手段（演出用光源１２、演出用音源１３）により、被写体となる乳幼児を撮影に誘引することが可能であり、また、撮影用照明装置１００に備えられた照明光源１１により被写体に適切な照明光を与えることができるため、円滑に撮影を行うことできる。
【０１３０】
本発明は、上記実施形態に限定されることなく、本発明の趣旨を逸脱しない範囲において、種々の改良並びに設計の変更を行ってもよい。
【０１３１】
例えば、上述した第１〜第７の実施形態の撮影用照明装置１００を、他の照明と併せて使用することとしてもよい。以下、図１４を参照して撮影用照明装置１００を他の照明と併せて使用した場合について説明する。
【０１３２】
図１４は、写真スタジオ装置２００と、この写真スタジオ装置２００内に配置された撮影用照明装置１００を示す図である。
写真スタジオ装置２００は、右側壁２０１と左側壁２０２と後部壁２０３とをコの字状に組立てて、その上部に支柱等により支持された蛍光灯等の光源（不図示）を設けて構成されている。
【０１３３】
また、後部壁２０３と対向する壁（以下、前部壁２０４という）に被写体Ｂや撮影者の出入口となる開口部を有し、右側壁２０１と左側壁２０２と後部壁２０３と前部壁２０４によって囲まれる領域には、撮影用照明装置１００が配置され、その近傍に被写体となる乳幼児が配置される。
【０１３４】
右側壁２０１、左側壁２０２、後部壁２０３及び前部壁２０４の壁面を構成する基材は、光透過性の樹脂やガラス等の基材で形成されており、例えば、光透過性の白色アクリル樹脂等により形成される。各壁の内側には、不図示の蛍光灯等の光源が設けてあり、この光源からの光が各壁面を透過する際に散乱されることにより、各壁面自体が発光する面光源として、被写体に対して均一な照明光を与えることが可能となっている。
【０１３５】
このような環境下において、撮影用照明装置１００の照明光源１１から照射される照明光の色温度は、写真スタジオ装置２００の光源から照射される照明光の色温度と同一或いは同程度であることが好ましい。また、撮影用照明装置１００の照明光源１１から照射される照明光の光量を、写真スタジオ装置２００の光源から照射される照明光の光量に応じて調整することが可能な態様とすることが好ましい。この場合、写真スタジオ装置２００から照射される光量を測定するための照度計等を別途備え、この照度計から出力される測定結果に応じて、コントロールボックス３０内に設けられた不図示の制御系２０により照明光源１１から照射される光量が調整されるものとする。
【図面の簡単な説明】
【０１３６】
【図１】第１の実施形態における撮影用照明装置の概要を示す図である。
【図２】撮影用照明装置の制御系を説明するためのブロック図である。
【図３】第１の実施形態における撮影用照明装置を用いた撮影の一例を示す図である。
【図４】第１の実施形態において撮像部により被写体が撮影される場合の撮影制御処理の流れを示すフローチャートである。
【図５】第１の実施形態において撮像装置により被写体が撮影される場合の撮影制御処理の流れを示すフローチャートである。
【図６】第２の実施形態において撮像部により被写体が撮影される場合の撮影制御処理の流れを示すフローチャートである。
【図７】第２の実施形態において撮像装置により被写体が撮影される場合の撮影制御処理の流れを示すフローチャートである。
【図８】第３の実施形態における撮影用照明装置を用いた撮影の一例を示す図である。
【図９】第４の実施形態における撮影用照明装置の概要を示す図である。
【図１０】第５の実施形態における撮影用照明装置の概要を示す図である。
【図１１】第６の実施形態における撮影用照明装置の概要を示す図である。
【図１２】第７の実施形態における撮影用照明装置の概要を示す図である。
【図１３】第７の実施形態における撮影用照明装置を用いた撮影の一例を示す図である。
【図１４】写真スタジオ装置２００内に配置された撮影用照明装置１００を示す図である。
【図１５】従来の撮影の一例を示す図である。
【符号の説明】
【０１３７】
１００（１００ａ〜１００ｅ）  撮影用照明装置
１０  ケーシング
１０ａ  背凭れ部
１０ｂ  座部
１０ｃ  肘掛部
１０ｄ  脚部
１０ｅ  内壁部
１０ｆ  外壁部
１１  照明光源
１２  演出用光源
１３  演出用音源
１４  検出部
１５  撮像部
２０  制御系
２１  制御部
２２  記憶部
２３  画像処理部
２４  Ｉ／Ｆ部
２５  Ｉ／Ｏ部
３０  コントロールボックス
４０  本体
４１  台座部
４２  支柱部
Ｂ  被写体
Ｃ  撮影装置
Ｃ１  レリーズボタン
２００  写真スタジオ装置
２０１  右側壁
２０２  左側壁
２０３  後部壁
２０４  前部壁
【図１】
2006330443.tif 000003
【図２】
2006330443.tif 000004
【図３】
2006330443.tif 000005
【図４】
2006330443.tif 000006
【図５】
2006330443.tif 000007
【図６】
2006330443.tif 000008
【図７】
2006330443.tif 000009
【図８】
2006330443.tif 000010
【図９】
2006330443.tif 000011
【図１０】
2006330443.tif 000012
【図１１】
2006330443.tif 000013
【図１２】
2006330443.tif 000014
【図１３】
2006330443.tif 000015
【図１４】
2006330443.tif 000016
【図１５】
2006330443.tif 000017